(57)【要約】【目的】  本発明の目的は、基板上の高さ寸法を低くすることができる基板実装用コネクタを提供することにある。【構成】  プリント基板１０の開口１１に嵌合するボディ１００と、このボディ１００に取り付けられるピン２００、固定接片３００及び可動接片４００とを備え、ボディ１００は下端部の一端部が矩形状に切り欠かれてた切欠き部１０１を有し、当該下端部がプリント基板１０の開口１１に嵌まり込むようになっている。ピン２００のピン本体２１０、固定接片３００の本体３１０及び可動接片４００の本体４１０の当該ボディ１００の切欠き部１０１から露出する部分を切欠き、当該ピン２００、固定接片３００及び可動接片４００の接続部２２０、３２０、４２０をボディ１００の切欠き部１０１に垂下させて基板１０と電気接続させる。【選択図】      図１
2006012447.tif 000002
【特許請求の範囲】
【請求項１】
基板の開口に嵌まり込むボディと、このボディに取り付けられており且つ前記基板と電気接続される端子とを備えた基板実装用コネクタにおいて、前記ボディは前記端子を基板と略水平に嵌合するための嵌合部を有する略立方体であって、前記基板の開口に嵌まり込む下端部の一端部が切り欠かれており、前記端子は、少なくとも前記ボディの切欠き部から露出する部分が切り欠かれた端子本体と、この端子本体から前記ボディの切欠き部に垂下され、前記基板に電気接続される接続部を有することを特徴とする基板実装用コネクタ。
【請求項２】
請求項１記載の基板実装用コネクタにおいて、前記端子の端子本体は、前記ボディの切欠き部に露出する部分だけでなく、前記基板に接触する部分も切り欠かれていることを特徴とする基板実装用コネクタ。
【請求項３】
前記端子が略円筒形のピンである請求項１記載の基板実装用コネクタにおいて、前記端子の接続部は略逆Ｌ字状の部材であり且つ前記ボディの上端部の一端部に設けられた前記嵌合部と連なる略逆Ｌ字状の溝部に係合されるようになっていることを特徴とする基板実装用コネクタ。
【請求項４】
請求項１記載の基板実装用コネクタにおいて、前記ボディの側面には、位置決め用のボスが設けられていることを特徴とする基板実装用コネクタ。
【発明の詳細な説明】
【技術分野】
【０００１】
本発明は、プリント基板に実装され、電源ジャック等として使用される基板実装用コネクタに関する。
【背景技術】
【０００２】
この種の基板実装用コネクタは、端子が取り付けられるボディの下面に肉付け部を設け、この肉付け部をプリント基板に設けられた開口に嵌合させ、取り付けるようにしたものがある( 特許文献１参照) 。
【０００３】
【特許文献１】特開平１１−４５７６４号公報
【発明の開示】
【発明が解決しようとする課題】
【０００４】
ところが、前記コネクタは、ボディの下面に肉付け部を設ける構成であることから、当該コネクタのプリント基板上の高さ寸法を低くすることができない。
【０００５】
本発明は、上記事情に鑑みて創案されたものであって、その目的とするところは、基板上の高さ寸法を低くすることができる基板実装用コネクタを提供することにある。
【課題を解決するための手段】
【０００６】
上記課題を解決するために、本発明の基板実装用コネクタは、基板の開口に嵌まり込むボディと、このボディに取り付けられており且つ前記基板と電気接続される端子とを備えた基板実装用コネクタにおいて、前記ボディは前記端子を基板と略水平に嵌合するための嵌合部を有する略立方体であって、前記基板の開口に嵌まり込む下端部の一端部が切り欠かれており、前記端子は、少なくとも前記ボディの切欠き部から露出する部分が切り欠かれた端子本体と、この端子本体から前記ボディの切欠き部に垂下され、前記基板に電気接続される接続部を有することを特徴としている。
【０００７】
前記端子の端子本体は、前記ボディの切欠き部に露出する部分だけでなく、前記基板に接触する部分も切り欠かれていることが好ましい。
【０００８】
前記端子が略円筒形のピンである場合、この端子の接続部は略逆Ｌ字状の部材であり且つ前記ボディの上端部の一端部に設けられた前記嵌合部と連なる略逆Ｌ字状の溝部に係合されるようになっていることが好ましい。
【０００９】
前記ボディの側面には、位置決め用のボスが設けられていることができる。
【発明の効果】
【００１０】
本発明の請求項１に係る基板実装用コネクタによる場合、ボディの下端部の一端部を切欠く一方、当該ボディの嵌合部に基板と略水平に嵌まり込む端子の端子本体の少なくとも当該ボディの切欠き部から露出する部分を切欠き、当該端子本体から接続部をボディの切欠き部に垂下させて基板と電気接続させるようになっている。このため、基板上の高さ寸法を低くすることができると共に、当該基板に開設する開口の大きさを小さくすることができるので、小型化が要求される多様な製品に使用することが可能になる。
【００１１】
本発明の請求項２に係る基板実装用コネクタによる場合、端子の端子本体が基板に接触しないように切り欠かれているので、ボディを基板に取り付けた後、端子と基板との絶縁性を確保することができ、端子が基板に接触することにより起きるショート等を防止することができる。
【００１２】
本発明の請求項３に係る基板実装用コネクタによる場合、ピンである端子の接続部が略逆Ｌ字状をしており、この接続部がボディの上端部の一端部に設けられた溝部に係合されるようになっている。これにより当該端子が回転するのを防止することができる。
【００１３】
本発明の請求項４に係る基板実装用コネクタによる場合、前記ボディの側面に位置決め用のボスが設けられているので、基板に取り付けた状態で位置ずれを起こすようなことがない。よって、位置ずれにより端子と基板との電気接続、特に半田付け等が外れるというようなことを防止することができる。
【発明を実施するための最良の形態】
【００１４】
以下、本発明の実施の形態に係る基板実装用コネクタについて図面を参照しながら説明する。図１は本発明の実施の形態に係る基板実装用コネクタの背面図、図２は同コネクタが実装されるプリント基板の開口を示す平面図、図３は同コネクタを示す図であって、( ａ) が側面図、( ｂ) が( ａ) の横断面図、( ｃ) が( ａ) の縦断面図、図４は同コネクタに取り付けられるピンを示す図であって、( ａ) が平面図、( ｂ) が正面図、( ｃ) が底面図、図５は同コネクタに取り付けられる固定接片を示す図であって、( ａ) が平面図、( ｂ) が正面図、( ｃ) が右側面図、図６は同コネクタに取り付けられる可動接片を示す図であって、( ａ) が平面図、( ｂ) が正面図、( ｃ) が右側面図である。
【００１５】
図１に示す基板実装用コネクタは、電源ジャック等に用いられるコネクタであって、プリント基板１０の開口１１( 図２参照) に嵌合するボディ１００と、このボディ１００に取り付けられるピン２００( 端子) 、固定接片３００( 端子) 及び可動接片４００( 端子) とを備えている。以下、各部を詳しく説明する。
【００１６】
プリント基板１０は、図２に示すように、ボディ１００の下端部の形状に合わせて開設された開口１１と、この開口１１の幅方向の両端部に各々連設されており且つボディ１００のボス１６０、１６０が嵌合可能な透孔１２、１２と、ピン２００の接続部２２０が挿入される第１の接続孔１３と、固定接片３００の接続部３２０が挿入される第２の接続孔１４と、可動接片４００の接続部４２０が挿入される第３の接続孔１５とが開設されている。
【００１７】
ボディ１００は図示しない電源用のプラグ等が挿入されるプラグ挿入孔１１０が設けられた略立方体の樹脂製品である。このボディ１００は下端部の一端部が矩形状に切り欠かれてた切欠き部１０１を有し、当該下端部がプリント基板１０の開口１１に嵌まり込むようになっている。このボディ１００には、図３に示すように、プラグ挿入孔１１０と連通しており且つピン２００が嵌まり込むピン嵌合部１２０( 即ち、嵌合部) と、プラグ挿入孔１１０と連通しており且つ固定接片３００及び可動接片４００が嵌合する接片嵌合部１３０( 即ち、嵌合部) とが設けられている。また、ボディ１００の上端部の一端部には、ピン嵌合部１２０と連なっており且つピン２００の接続部２２０が係合される逆Ｌ字状のピン溝部１４０と、接片嵌合部１３０と連なっており且つ固定接片３００の接続部３２０、可動接片４００の接続部４２０が各々係合される接片溝部１５１、１５２とが設けられている。
【００１８】
また、ボディ１００の両外側面には、Ｔ字状のボス１６０、１６０が設けられている。このボス１６０、１６０はプリント基板１０の透孔１２、１２に嵌まり込む。これにより、ボディ１００がプリント基板１０の開口１１に嵌まり込んだ状態でボディ１００の長さ方向に位置ずれしないようになっている。
【００１９】
ピン２００は、図１、図３及び図４に示すように、先端部がボディ１００のプラグ挿入孔１１０に挿入され、後端部がピン嵌合部１２０に圧入されて嵌まり込むピン本体２１０( 即ち、端子本体) と、このピン本体２１０の後端部から垂下され、プリント基板１０の第１の接続孔１３に挿入される略逆Ｌ字状の接続部２２０とを有している。ピン本体２１０の後端部は、図３( ｃ) に示すように、ボディ１００の切欠き部１０１から露出した部分及びボディ１００が基板１０に取り付けられたときに当該基板１０に接触する部分が切り欠かれている。また、このピン本体２１０の後端部には、図４に示すように、ピン嵌合部１２０に圧入したときに当該ピン嵌合部１２０の内周面に当接する抜け止め防止用のハネ部２１１、２１１が設けられている。接続部２２０はボディ１００のピン溝部１４０に係合され( 図１参照) 、これによりピン本体２１０が嵌合した状態で回転するのを防止している。また、接続部２２０はプリント基板１０の第１の接続孔１３に挿入され、半田接続されることによりプリント基板１０と電気接続がなされる。
【００２０】
固定接片３００は、図１、図３及び図５に示すように、正面視略逆凹字状の部材であり、接片嵌合部１３０に圧入されて嵌まり込む本体３１０( 即ち、端子本体) と、この本体３１０と連なる略逆Ｌ字状の接続部３２０とを有する。本体３１０は、ボディ１００の切欠き部１０１から露出した部分及びボディ１００が基板１０に取り付けられたときに当該基板１０に接触する部分が切り欠かれている。この本体３１０の上下端には、接片嵌合部１３０の上下面に当接して抜け止めをなす抜け止め防止用の突出片３１１、３１１が各々設けられている。接続部３２０は、接片溝部１５１に係合され、第２の接続孔１４に挿入される。この接続部３２０は第２の接続孔１４に挿入された状態で半田接続されることによりプリント基板１０と電気接続がなされる。
【００２１】
可動接片４００は、図１、図３及び図６に示すように、接片嵌合部１３０に圧入され、嵌まり込む本体４１０と、この本体４１０と連なる接続部４２０とを有する。本体４１０は、ボディ１００の切欠き部１０１から露出した部分及びボディ１００が基板１０に取り付けられたときに当該基板１０に接触する部分が切り欠かれている。この本体４１０には、プラグ挿入孔１１０に露出する可動部４１１( 図３( ｂ）参照) と、上下端に接片嵌合部１３０の上下面に当接して抜け止めをなす抜け止め防止用の突出片４１２、４１２が各々設けられている。可動部４１１は、本体４１０が接片嵌合部１３０に嵌合した状態で固定接片３００の本体３１０に当接しており、プラグが挿入されると、当該プラグに押圧され固定接片３００の本体３１０に当接しない位置に移動する。接続部４２０は接片溝部１５２に係合され、第３の接続孔１５に挿入される。この接続部４２０は第３の接続孔１５に挿入された状態で半田接続されることによりプリント基板１０と電気接続がなされる。            
【００２２】
このような基板実装用コネクタによる場合、ボディ１００の下端部の一端部を切欠く一方、当該ボディ１００に基板１０と略水平に取り付けられたピン２００のピン本体２１０、固定接片３００の本体３１０及び可動接片４００の本体４１０の当該ボディ１００の切欠き部１０１から露出する部分を切欠き、当該ピン２００、固定接片３００及び可動接片４００の接続部２２０、３２０、４２０をボディ１００の切欠き部１０１に垂下させて基板１０と電気接続させるようになっている。このため、基板実装用コネクタの基板１０上の高さ寸法を低くすることができると共に、当該基板１０に開設する開口１１の大きさを小さくすることができるので、小型化が要求される多様な製品に使用することが可能になる。しかも、ピン２００のピン本体２１０、固定接片３００の本体３１０及び可動接片４００の本体４１０がボディ１００の切欠き部１０１から露出する部分だけでなく基板１０に接触する部分も切り欠かれている。これによりピン２００、固定接片３００及び可動接片４００と、基板１０との絶縁性を確保することができ、ピン２００、固定接片３００及び可動接片４００が基板１０に接触することにより起きるショート等を防止することができる。
【００２３】
この基板実装用コネクタは、基板の開口に嵌まり込むボディと、このボディに取り付けられており且つ前記基板と電気接続される端子とを備えた基板実装用コネクタにおいて、前記ボディは前記端子を基板と略水平に嵌合するための嵌合部を有する略立方体であって、前記基板の開口に嵌まり込む下端部の一端部が切り欠かれており、前記端子は、少なくとも前記ボディの切欠き部から露出する部分が切り欠かれた端子本体と、この端子本体から前記ボディの切欠き部に垂下され、前記基板に電気接続される接続部を有する限りどのような設計変更を行ってもかまわない。
【００２４】
ボディ１００は下端部の一端部が矩形状に切り欠かれているとしたが、他の形状に切り欠くことも当然可能である。ボス１６０を設けることは任意である。
【００２５】
ピン２００のピン本体２１０、固定接片３００の本体３１０及び可動接片４００の本体４１０は、少なくともボディ１００の切欠き部１０１から露出する部分が切り欠かれていれば良い。接続部２２０、３２０、４２０は半田接続されるとしたが、他の方法で電気接続することが可能である。例えば、基板１０上に電極を設け、この電極に接触させる用にしても良い。
【００２６】
なお、ここでは、ピン２００、固定接片３００、可動接片４００の３つの端子を有するとしたが、２以下又は４以上の端子を有するコネクタに適応可能であることことは言う迄もない。端子の形状はコネクタに応じて適宜選択可能である。
【図面の簡単な説明】
【００２７】
【図１】本発明の実施の形態に係る基板実装用コネクタの背面図である。
【図２】同コネクタが実装されるプリント基板の開口を示す平面図である。
【図３】同コネクタを示す図であって、( ａ) が側面図、( ｂ) が( ａ) の横断面図、( ｃ) が( ａ) の縦断面図である。
【図４】同コネクタに取り付けられるピンを示す図であって、( ａ) が平面図、( ｂ) が正面図、( ｃ) が底面図である。
【図５】同コネクタに取り付けられる固定接片を示す図であって、( ａ) が平面図、( ｂ) が正面図、( ｃ) が右側面図である。
【図６】同コネクタに取り付けられる可動接片を示す図であって、( ａ) が平面図、( ｂ) が正面図、( ｃ) が右側面図である。
【符号の説明】
【００２８】
１０    プリント基板
１１    開口
１００  ボディ
１０１  切欠き部
２００  ピン( 端子) 
３００  固定接片( 端子) 
４００  可動接片( 端子) 
【図１】
2006012447.tif 000003
【図２】
2006012447.tif 000004
【図３】
2006012447.tif 000005
【図４】
2006012447.tif 000006
【図５】
2006012447.tif 000007
【図６】
2006012447.tif 000008